(57)【要約】    【課題】所望とする解像度を有する長方形の大画面を最小限の台数のプロジェクタによって構成可能とする。    【解決手段】光源、電気光学変調装置及び投写光学系を有する複数のプロジェクタＰＪ１，ＰＪ２，ＰＪ３，・・・を有し、前記複数のプロジェクタＰＪ１，ＰＪ２，ＰＪ３，・・・のそれぞれから投写される複数の投写画像を投写面にタイリング投写して長方形画面を構成可能なマルチプロジェクションディスプレイであって、前記複数のプロジェクタＰＪ１，ＰＪ２，ＰＪ３，・・・のうち少なくとも１つのプロジェクタは、前記長方形画面の長辺方向に、自身の投写画像の短辺方向が投写されるように構成する。【選択図】  図１
2006295584.tif 000002
【特許請求の範囲】
【請求項１】
光源、電気光学変調装置及び投写光学系を有する複数のプロジェクタを有し、前記複数のプロジェクタのそれぞれから投写される複数の投写画像を投写面にタイリング投写して長方形画面を構成可能なマルチプロジェクションディスプレイであって、
前記複数のプロジェクタのうち少なくとも１つのプロジェクタは、前記長方形画面の長辺方向に、自身の投写画像の短辺方向が投写されるように構成されることを特徴とするマルチプロジェクションディスプレイ。
【請求項２】
請求項１に記載のマルチプロジェクションディスプレイにおいて、
前記長方形画面は、横長画面であって、前記複数のプロジェクタのうち少なくとも１つのプロジェクタは、前記投写面上で投写画像が縦長に投写されるように構成されることを特徴とするマルチプロジェクションディスプレイ。
【請求項３】
請求項１または２に記載のマルチプロジェクションディスプレイにおいて、
前記複数のプロジェクタのうちすべてのプロジェクタは、前記投写面上で投写画像が縦長に投写されるように構成されることを特徴とするマルチプロジェクションディスプレイ。
【請求項４】
請求項３に記載のマルチプロジェクションディスプレイにおいて、
前記複数のプロジェクタにおけるすべての前記電気光学変調装置は、長方形の画像形成領域を有し、前記長方形の短辺を横切るように配列された複数本の走査線を用いて、同じ方向に、かつ、同期して書き込み走査が行われるように構成されることを特徴とするマルチプロジェクションディスプレイ。
【請求項５】
請求項３に記載のマルチプロジェクションディスプレイにおいて、
前記複数のプロジェクタにおけるすべての前記電気光学変調装置は、長方形の画像形成領域を有し、前記長方形の長辺を横切るように配列された複数本の走査線を用いて、同じ方向に、かつ、同期して書き込み走査が行われるように構成されることを特徴とするマルチプロジェクションディスプレイ。
【請求項６】
請求項４又は５に記載のマルチプロジェクションディスプレイにおいて、
前記複数のプロジェクタのそれぞれは、前記電気光学変調装置の画像形成領域上で前記書き込み走査が行われる方向に沿って照明光束が走査されるように構成され、
前記複数のプロジェクタにおけるすべての前記電気光学変調装置は、前記照明光束の走査に同期して書き込み走査が行われるように構成されることを特徴とするマルチプロジェクションディスプレイ。
【請求項７】
請求項４又は５に記載のマルチプロジェクションディスプレイにおいて、
前記複数のプロジェクタのそれぞれは、渦巻状に配置された複数のカラーフィルタ領域を有するカラーホイールを、前記光源と前記電気光学変調装置との間に有し、
前記複数のプロジェクタにおけるすべての前記電気光学変調装置は、前記カラーホイールの動作に同期して書き込み走査が行われるように構成されることを特徴とするマルチプロジェクションディスプレイ。
【請求項８】
請求項３〜７のいずれかに記載のマルチプロジェクションディスプレイにおいて、
前記複数のプロジェクタは、前記複数の投写画像が前記投写面上で縦方向に１個、横方向にｍ個（ｍは２以上の自然数）の配列で投写されるように構成されることを特徴とするマルチプロジェクションディスプレイ。
【請求項９】
請求項３〜７のいずれかに記載のマルチプロジェクションディスプレイにおいて、
前記複数のプロジェクタは、前記複数の投写画像が前記投写面上で縦方向にｍ個（ｍは２以上の自然数）、横方向にｎ個（ｎは３以上の自然数）の配列で投写されるように構成されることを特徴とするマルチプロジェクションディスプレイ。
【請求項１０】
請求項３〜９のいずれかに記載のマルチプロジェクションディスプレイにおいて、
前記複数のプロジェクタは、隣接して投写される投写画像が前記投写面上で互いに重畳領域を発生させるように、かつ、前記複数の投写画像が前記投写面上で縦方向に複数行かつ横方向に複数列の配列で投写されるように構成され、
前記複数のプロジェクタにおけるすべての前記電気光学変調装置は、１フレームに複数回の書き込み走査が行われる電気光学変調装置であり、
前記複数のプロジェクタは、前記複数回の書き込み走査のうち少なくとも１回目の書き込み走査が行われている期間には前記電気光学変調装置の画像形成領域に照明光束が照射されないように構成されることを特徴とするマルチプロジェクションディスプレイ。
【請求項１１】
請求項１または２に記載のマルチプロジェクションディスプレイにおいて、
前記複数のプロジェクタとして、前記投写面上で投写画像が縦長に投写されるように構成されたプロジェクタと、前記投写面上で投写画像が横長に投写されるように構成されたプロジェクタとを有することを特徴とするマルチプロジェクションディスプレイ。
【請求項１２】
光源、電気光学変調装置及び投写光学系を有するプロジェクタであって、
前記電気光学変調装置は、走査線ドライバからの複数の走査線が長方形の画像形成領域の長辺を横切るように配列され、データ線ドライバからのデータ線が前記長方形の画像形成領域の短辺を横切るように配列されたことを特徴とするプロジェクタ。
【発明の詳細な説明】
【技術分野】
【０００１】
本発明は、複数のプロジェクタから投写される複数の投写画像を投写面にタイリング投写するマルチプロジェクションディスプレイ及びプロジェクタに関する。
【背景技術】
【０００２】
複数のプロジェクタのそれぞれから投写される複数の投写画像を投写面にタイリング投写して所望とする解像度を有する横長大画面を構成することが行われている（たとえば、特許文献１〜３）。
【０００３】
これら特許文献１〜３に開示された技術は、たとえば、４台のプロジェクタを横方向に２台、縦方向に２台の配置することによって横長大画面を構成可能とし、いずれも、複数のプロジェクタからの投写画像が投写面上で重なり領域を有するようにしている。この場合、マルチプロジェクションディスプレイを構成する複数のプロジェクタは、個々のプロジェクタを単体で使用する場合と同じ状態、すなわち、個々のプロジェクタの投写画像が横長となるように設置されるのが一般的である。これは、プロジェクタは垂直同期信号と水平同期信号により、上の走査線から順に画像データの書き込みを行っているため、横長大画面の構成が可能なマルチプロジェクションディスプレイにおいても、投写画像が投写面上の上から下方向に表示が行われるようにすることが好都合であるからである。
【０００４】
なお、使用するプロジェクタの台数は２×２の４台に限られるものではなく、たとえば、２×３の６台のプロジェクタ、３×４の１２台のプロジェクタなど、多数のプロジェクタを使用することが可能であり、いずれの場合も、個々のプロジェクタは、個々のプロジェクタの投写画像が横長となるように設置されるのが一般的である。
【０００５】
【特許文献１】特開平９−３２６９８１号公報
【特許文献２】特開２００１−２２２２６９号公報
【特許文献３】Ｗ０９９／３１８７７号公報
【発明の開示】
【発明が解決しようとする課題】
【０００６】
しかし、特許文献１〜３に開示された技術では、所望とする解像度を有する横長大画面の画像を複数のプロジェクタで実現しようすると、個々のプロジェクタの電気光学変調装置の画像形成領域が有効利用されず、画素に多くの無駄が生じるという課題もある。
【０００７】
たとえば、１２８０画素×７２０画素の解像度を有する一般的なプロジェクタを用いて、１９２０画素×１０８０画素のフルハイビジョン規格の画像を構成しようした場合、少なくとも、４台のプロジェクタが必要となる。すなわち、１２８０画素×７２０画素のプロジェクタを、横方向に２台、縦方向に２台並べて配置することによって、１９２０画素×１０８０画素のフルハイビジョンディスプレイを構成することなる。
【０００８】
この場合、横方向に２台、縦方向に２台の配置によって得ることのできる横方向及び縦方向の画素数は、横方向が１２８０×２＝２５６０画素、縦方向が７２０×２＝１４４０画素となり、重なり領域を考慮したとしても、１９２０画素×１０８０画素に対して多くの画素数が無駄になるが、結局は４台のプロジェクタを用いて構成せざるを得ない。
【０００９】
そこで本発明は、所望とする解像度を有する横長大画面の画像を最小限の台数のプロジェクタによって構成することのできるマルチプロジェクションディスプレイ及びプロジェクタを提供することを目的としている。
【課題を解決するための手段】
【００１０】
（１）本発明のマルチプロジェクションディスプレイは、光源、電気光学変調装置及び投写光学系を有する複数のプロジェクタを有し、前記複数のプロジェクタのそれぞれから投写される複数の投写画像を投写面にタイリング投写して長方形画面を構成可能なマルチプロジェクションディスプレイであって、前記複数のプロジェクタのうち少なくとも１つのプロジェクタは、前記長方形画面の長辺方向に、自身の投写画像の短辺方向が投写されるように構成されることを特徴とする。
これにより、最小限の台数のプロジェクタによって、所望とする解像度を有する長方形の大画面の画像を投写することができる。
【００１１】
（２）前記（１）に記載のマルチプロジェクションディスプレイにおいては、前記長方形画面は、横長画面であって、前記複数のプロジェクタのうち少なくとも１つのプロジェクタは、前記投写面上で投写画像が縦長に投写されるように構成されることが好ましい。特徴とするマルチプロジェクションディスプレイ。
これにより、最小限の台数のプロジェクタによって、所望とする解像度を有する横長大画面の画像を投写することができる。
【００１２】
（３）前記（１）または（２）に記載のマルチプロジェクションディスプレイにおいては、前記複数のプロジェクタのうちすべてのプロジェクタは、前記投写面上で投写画像が縦長に投写されるように構成されることが好ましい。
これにより、同じ構成のプロジェクタを用いることができ、マルチプロジェクションディスプレイを容易に構成することができる。たとえば、縦方向が１０８０画素、横方向が１９２０画素のフルハイビジョン規格の解像度の投写画像を形成する場合、一般的な解像度（縦方向が７２０画素、横方向が１２８０画素）のプロジェクタを３台用いることで実現することができる。ちなみに、上記したプロジェクタを横長画像で投写しようとすると少なくとも４台のプロジェクタを必要とする。
【００１３】
（４）前記（３）に記載のマルチプロジェクションディスプレイにおいては、前記複数のプロジェクタにおけるすべての前記電気光学変調装置は、長方形の画像形成領域を有し、前記長方形の短辺を横切るように配列された複数本の走査線を用いて、同じ方向に、かつ、同期して書き込み走査が行われるように構成されることが好ましい。
これは、本来の設置の仕方で横長画像の投写を行う汎用のプロジェクタを用いた場合であり、この汎用のプロジェクタを用いて投写画像を縦長画像とする方法としては、汎用のプロジェクタを９０度回転させて設置する方法が一例として考えられる。このような設置の仕方によって投写を行うことにより、縦長画像を得ることができる。この場合、汎用のプロジェクタを用いることができるので、容易かつ安価に本発明のマルチプロジェクションディスプレイを構成することができる。なお、汎用のプロジェクタを本来の設置の仕方で用いて、光学的に投写画像を９０度回転させて縦長画像を投写することも可能である。
【００１４】
（５）前記（３）に記載のマルチプロジェクションディスプレイにおいては、前記複数のプロジェクタにおけるすべての前記電気光学変調装置は、長方形の画像形成領域を有し、前記長方形の長辺を横切るように配列された複数本の走査線を用いて、同じ方向に、かつ、同期して書き込み走査が行われるように構成されることが好ましい。
これは、プロジェクタを本来の設置の仕方で縦長画像の投写が可能な専用機として構成するものであり、このような専用のプロジェクタは、本来の設置の仕方で縦長の投写画像が形成可能となるので、縦長画像を投写させるための画像データ処理などを容易なものとすることができる。
【００１５】
（６）前記（４）または（５）に記載のマルチプロジェクションディスプレイにおいては、前記複数のプロジェクタのそれぞれは、前記電気光学変調装置の画像形成領域上で前記書き込み走査が行われる方向に沿って照明光束が走査されるように構成され、前記複数のプロジェクタにおけるすべての前記電気光学変調装置は、前記照明光束の走査に同期して書き込み走査が行われるように構成されることが好ましい。
このように電気光学変調装置の画像形成領域上で照明光束の走査を行い、かつ、照明光束の走査に同期して書き込み走査を行うことによって、インパルス型に近い表示が可能となり動画の視認性の向上が図れる。
【００１６】
（７）前記（４）または（５）に記載のマルチプロジェクションディスプレイにおいては、前記複数のプロジェクタのそれぞれは、渦巻状に配置された複数のカラーフィルタ領域を有するカラーホイールを、前記光源と前記電気光学変調装置との間に有し、前記複数のプロジェクタにおけるすべての前記電気光学変調装置は、前記カラーホイールの動作に同期して書き込み走査が行われるように構成されることが好ましい。
これは、電気光学変調装置としてマイクロミラー型変調装置などを用い、かつ、回転カラーホイールによる色順次方式によりカラー画像投写を行うプロジェクタを用いた場合であり、このようなプロジェクタを用いた場合にも本発明のマルチプロジェクションディスプレイを構成することができる。
【００１７】
（８）前記（３）〜（７）のいずれかに記載のマルチプロジェクションディスプレイにおいては、前記複数のプロジェクタは、前記複数の投写画像が前記投写面上で縦方向に１個、横方向にｍ個（ｍは２以上の自然数）の配列で投写されるように構成されることもまた好ましい。
これによって、所望とする解像度を有する横長大画面の画像を最小限の台数のプロジェクタで投写することができる。
【００１８】
（９）前記（３）〜（７）のいずれかに記載のマルチプロジェクションディスプレイにおいては、前記複数のプロジェクタは、前記複数の投写画像が前記投写面上で縦方向にｍ個（ｍは２以上の自然数）、横方向にｎ個（ｎは３以上の自然数）の配列で投写されるように構成されることもまた好ましい。
このように、投写画像を縦方向にｍ個、横方向にｎ個の配列とするように複数のプロジェクタを構成することによって、最小限のプロジェクタで、より大きなサイズの横長画像を所望とする解像度で投写することができる。
【００１９】
（１０）前記（３）〜（９）のいずれかに記載のマルチプロジェクションディスプレイにおいては、前記複数のプロジェクタは、隣接して投写される投写画像が前記投写面上で互いに重畳領域を発生させるように、かつ、前記複数の投写画像が前記投写面上で縦方向に複数行かつ横方向に複数列の配列で投写されるように構成され、前記複数のプロジェクタにおけるすべての前記電気光学変調装置は、１フレームに複数回の書き込み走査が行われる電気光学変調装置であり、前記複数のプロジェクタは、前記複数回の書き込み走査のうち少なくとも１回目の書き込み走査が行われている期間には前記電気光学変調装置の画像形成領域に照明光束が照射されないように構成されることもまた好ましい。
このように、１フレームについて複数回の書き込み操作を可能とし、前記複数回の書き込み走査のうち少なくとも１回目の書き込み走査が行われている期間には前記電気光学変調装置の画像形成領域に照明光束が照射されないようにすることで、たとえば、隣接する投写画像の重なり領域については、常に同じ画像データの書き込みが行われたときに、照明を行うようにすることが可能となり、重なり部分の書き込みタイミングの違いによる動画ボケを解消することができ、動画の視認性を大幅に向上されることができる。
【００２０】
（１１）前記（１）または（２）に記載のマルチプロジェクションディスプレイにおいては、前記複数のプロジェクタとして、前記投写面上で投写画像が縦長に投写されるように構成されたプロジェクタと、前記投写面上で投写画像が横長に投写されるように構成されたプロジェクタとを有することもまた好ましい。
このように、縦長画像の投写が可能なプロジェクタと横長画像の投写が可能なプロジェクタの両方を用いることによって、バリエーションに富んだサイズの横長画像を所望とする解像度で構成することができる。
【００２１】
（１２）本発明のプロジェクタは、前記電気光学変調装置は、走査線ドライバからの複数の走査線が長方形の画像形成領域の長辺を横切るように配列され、データ線ドライバからのデータ線が前記長方形の画像形成領域の短辺を横切るように配列されたことを特徴とする。
【００２２】
電気光学変調装置をこのような構成とすることにより、縦長画像を投写することができる。この場合、前記電気光学変調装置をその画像形成領域が縦長となるようにプロジェクタ内に設置すれば、そのままで縦長の画像を投写することができる。また、電気光学変調装置をその画像形成領域が横長となるようにプロジェクタ内に設置して、電気光学変調装置からの画像光を光学的に９０度回転させるようにしても縦長画像を投写することができる。
このような電気光学変調装置を有するプロジェクタを用いることによって、前記（１）または（２）に記載のマルチプロジェクションディスプレイを容易に構成することができる。なお、この（１２）に記載のプロジェクタにおいても、前記（３）〜（１１）に記載の特徴を有することが好ましい。
【発明を実施するための最良の形態】
【００２３】
以下、本発明の実施の形態について説明する。
【００２４】
[実施形態１]
実施形態１では１９２０画素×１０８０画素の解像度を有するフルハイビジョン規格の横長大画面の画像を複数のプロジェクタを用いて実現する場合について説明する。なお、実施形態１に係るマルチプロジェクションディスプレイに用いられる複数のプロジェクタは、汎用のプロジェクタであって、個々のプロジェクタは、１２８０画素×７２０画素の解像度を有し、本来の設置の仕方で投写した場合には横長の投写画像を投写面としてのスクリーンＳＣＲ上に形成するものであるとする。
【００２５】
図１は実施形態１に係るマルチプロジェクションディスプレイの構成を示す図である。実施形態１に係るマルチプロジェクションディスプレイは、図１に示すように、３台のプロジェクタＰＪ１，ＰＪ２，ＰＪ３を有している。
【００２６】
これら３台のプロジェクタＰＪ１，ＰＪ２，ＰＪ３は、それぞれの投写画像が縦長となるように、本来の設置状態に対して９０度回転させた状態（以下では縦置き状態と呼ぶことにする）で設置される。また、各プロジェクタＰＪ１，ＰＪ２，ＰＪ３からの縦長の投写画像がスクリーンＳＣＲ上で所定の重なり領域を有するように各プロジェクタＰＪ１，ＰＪ２，ＰＪ３が設置されるものとする。
【００２７】
図２は実施形態１に係るマルチプロジェクションディスプレイが投写すべき投写画像と、各プロジェクタにおける電気光学変調装置（液晶表示装置とする）の画像形成領域との関係を説明する図である。
【００２８】
図２（ａ）は実施形態１に係るマルチプロジェクションディスプレイが投写すべき所望とする投写画像を示すもので、この所望とする投写画像は、縦方向が１０８０画素、横方向が１９２０画素の解像度を有するものであるとする。なお、以下では、縦方向の画素数と横方向の画素数を、１０８０画素×１９２０画素のように、縦方向画素数×横方向画素数で表すものとする。
図２（ｂ）は個々のプロジェクタにおける液晶表示装置の画像形成領域を示すもので、画像形成領域の画素数は７２０画素×１２８０画素であるとする。
【００２９】
図２（ｃ）は所望とする投写画像（図２（ａ）参照）に対する３つのプロジェクタＰＪ１，ＰＪ２，ＰＪ３の投写画像の関係を示すものである。実施形態１に係るマルチプロジェクションディスプレイにおいては、３つのプロジェクタＰＪ１，ＰＪ２，ＰＪ３を縦置き状態に設置して投写を行うので、個々のプロジェクタＰＪ１，ＰＪ２，ＰＪ３のスクリーンＳＣＲ上でのそれぞれぞれの投写画像は、図２（ｃ）に示すようにそれぞれ縦長となる。この図２（ｃ）の例では、３つのプロジェクタＰＪ１，ＰＪ２，ＰＪ３の隣り合うプロジェクタ間においては１２０画素の重なり領域が存在する。
【００３０】
図２（ｄ）はプロジェクタを本来の設置の仕方で投写する場合を示すもので、１０８０画素×１９２０画素の投写画像を形成するには、少なくとも、４つのプロジェクタが必要となる。また、この図２（ｄ）のような設置の仕方であると、４つのプロジェクタの隣り合うプロジェクタ間における重なり領域は、縦方向及び横方向ともに、図２（ｃ）に比べて不必要に大きくなり、画素が有効利用されていないことがわかる。
【００３１】
図３は実施形態１に係るマルチプロジェクションディスプレイを構成する各プロジェクタＰＪ１，ＰＪ２，ＰＪ３の液晶表示装置を説明する図である。
図３（ａ）は１０８０画素×１９２０画素の投写画像と、各プロジェクタＰＪ１，ＰＪ２，ＰＪ３を縦置き状態とした場合のそれぞれの画像形成領域（各プロジェクタＰＪ１，ＰＪ２，ＰＪ３の画像形成領域をＧＡ１，ＧＡ２，ＧＡ３で表すものとする）との関係を示すものである。なお、以下に説明する図３（ｂ），（ｃ）においては、プロジェクタＰＪ１のみついて説明を行うが、他のプロジェクタＰＪ２，ＰＪ３も同様である。
【００３２】
図３（ｂ）はプロジェクタＰＪ１を縦置き状態としたときの液晶表示装置を示す図である。なお、３板式の液晶表示装置は赤（Ｒ）、緑（Ｇ）、青（Ｂ）に対応した液晶表示装置が存在するが、ここでは、赤（Ｒ）用の液晶表示装置を代表して説明するものとし、それを液晶表示装置１０Ｒとする。
【００３３】
プロジェクタＰＪ１を縦置き状態として用いると、図３（ｂ）に示すように、データ線ドライバ２１からのデータ線は、１２８０画素に対応するそれぞれのデータ線が長方形の画像形成領域ＧＡ１の長辺を横切るように横方向に配列された状態となる。また、走査線ドライバ２２からの走査線は、７２０画素に対応するそれぞれの走査線が画像形成領域ＧＡ１の短辺を横切るように縦方向に配列された状態となる。
【００３４】
図３（ｃ）は図３（ｂ）の破線円枠Ａ１を拡大して示す図であり、概略的には、各画素ごとにＴＦＴ（薄幕トランジスタ）と画素電極ＧＣを有した構成となっている。そして、各データ線は横方向に配列され、各走査線は縦方向に配列された状態となる。
【００３５】
図４は実施形態１に係るマルチプロジェクションディスプレイにおける画像データの書き込みを説明する図である。図４（ａ）は画像データの書き込みを行う際の走査線ドライバ２２からの走査信号（ゲート信号という）を示す図であり、各フレームにおいて、ゲート信号ＶＧ１，ＶＧ２，・・・，ＶＧｎ（ｎ＝７２０）が順次、走査線に出力される。そして、各走査線に接続されたＴＦＴのゲートにゲート信号ＶＧ１，ＶＧ２，・・・，ＶＧｎ（ｎ＝７２０）が順次与えられることにより、データ線ドライバ２１によって画像データが画素電極ＧＣに与えられる。
【００３６】
図４（ｂ）は画像データの書き込み方向を概略的に示す図であり、画像データは図４（ａ）に示すゲート信号ＶＧ１，ＶＧ２，・・・，ＶＧｎによって書き込まれて行く。このため、液晶表示装置１０Ｒ上における画像データの書き込み方向は、白抜き矢印Ｘ方向となる。
図４（ｃ）は３つのプロジェクタＰＪ１，ＰＪ２，ＰＪ３のスクリーンＳＣＲ上における書き込みを示すもので、各プロジェクタＰＪ１，ＰＪ２，ＰＪ３は、それぞれが同期して白抜き矢印Ｘ方向の画像データの書き込みを行う。
【００３７】
図５は実施形態１に係るマルチプロジェクションディスプレイを構成する各プロジェクタの画像データ処理装置１の構成を示す図である。各プロジェクタの画像データ処理装置１は、図５に示すように、投写すべき画像データ、どのような投写を行うか（プロジェクタを縦置き状態として投写を行うことを示す情報など）及び同期信号などの情報（これらの各情報を投写情報という）を入力する投写情報入力部１１、投写情報入力部１１に入力された投写情報に対しそれぞれの情報に応じた処理を行なう投写情報処理部１２、投写すべき画像データをたとえばフレーム単位で記憶する画像データ記憶部１３、赤（Ｒ）、緑（Ｇ）、青（Ｂ）のそれぞれの色に対応する液晶表示装置１０Ｒ，１０Ｇ，１０Ｂを駆動するそれぞれの液晶表示装置駆動部１４Ｒ，１４Ｇ，１４Ｂ、クロックを発生するクロック発生部１６を有している。
【００３８】
投写情報処理部１２は、自身のプロジェクタが投写すべきフレームごとの画像データに対し輝度や色むら補正などを行う機能を有するとともに、輝度や色むら補正を行ったフレームごとの画像データを画像データ記憶部１３に記憶させる機能を有する。
【００３９】
また、投写情報処理部１２は、同期信号によって１フレーム分の画像データを画像データ記憶部１３から読み出して、液晶表示装置１０Ｒ，１０Ｇ，１０Ｂへの書き込みを行う。このとき、プロジェクタを縦置き状態として投写を行うことを示す情報を受け取ると、図４（ｂ）のような書き込みが可能となるように、液晶表示装置１０Ｒ，１０Ｇ，１０Ｂへの画像データの書き込みモードを変更する。すなわち、投写情報処理部１２は、画像データ記憶部１３に記憶された１フレーム分の画像データの読み出しと液晶表示装置１０Ｒ，１０Ｇ，１０Ｂへの画像データの書き込みを、プロジェクタを縦置き状態とした場合に合わせた書き込みモードとする。これによって、図４（ｂ）のような書き込みが可能となる。
【００４０】
なお、プロジェクタを縦置き状態として投写を行うことを示す情報は、ユーザの指示に基づいて生成されるものであってもよく、また、プロジェクタを本来の置き方から９０度回転させて縦置き状態とした場合に、その９０度の回転を自動的に検知して、縦置き状態としたことを示す情報が自動的に生成されるようにしてもよい。
【００４１】
以上説明したように、実施形態１に係るマルチプロジェクションディスプレイによれば、マルチプロジェクションディスプレイを構成する複数のプロジェクタを縦置き状態に設置することによって、たとえば、１０８０画素×１９２０画素のフルハイビジョン規格の投写画像を、一般的な解像度（７２０画素×１２８０画素）を有する３台のプロジェクタで構成することができる。これにより、実施形態１に係るマルチプロジェクションディスプレイにおいては、従来では、少なくとも４台のプロジェクが必要であったものを、３台のプロジェクタで実現できる。しかも、実施形態１では、汎用のプロジェクタを用いることができるので、安価かつ容易にマルチプロジェクションディスプレイを構成することができる。
【００４２】
[実施形態２]
実施形態１に係るマルチプロジェクションディスプレイは、汎用のプロジェクタを縦置き状態に設置することで本発明のマルチプロジェクションディスプレイを構成したが、実施形態２においては、本来の設置の仕方で縦長画像を投写可能なプロジェクタを用いてマルチプロジェクションディスプレイを構成する。
【００４３】
なお、実施形態２においても実施形態１と同様に、１９２０画素×１０８０画素のフルハイビジョン規格の解像度を有する投写画像を３台のプロジェクタを用いて生成する場合について説明する。また、実施形態２に係るマルチプロジェクションディスプレイに用いられるプロジェクタも電気光学変調装置として液晶表示装置を用い、その解像度は７２０画素×１２８０画素であるとする。
【００４４】
実施形態２に係るマルチプロジェクションディスプレイの外観的な構成としては、図１と同様であり、３台のプロジェクタＰＪ１，ＰＪ２，ＰＪ３から縦長の投写画像をスクリーン上に投写する。ただし、この実施形態２に係るマルチプロジェクションディスプレイでは、各プロジェクタＰＪ１，ＰＪ２，ＰＪ３は、本来の設置に仕方で１２８０画素×７２０画素の縦長の投写画像をスクリーンＳＣＲ上に形成可能なものである。
【００４５】
図６は実施形態２に係るマルチプロジェクションディスプレイを構成する各プロジェクタＰＪ１，ＰＪ２，ＰＪ３の液晶表示装置を説明する図である。図６は実施形態１に係るマルチプロジェクションディスプレイの説明で用いた図３に対応するもので、図６（ａ）は図３（ａ）と同じものである。なお、以下に説明する図６（ｂ），（ｃ）においては、プロジェクタＰＪ１のみついて説明を行うが、他のプロジェクタＰＪ２，ＰＪ３も同様である。
【００４６】
図６（ｂ）は図６（ａ）のように投写を行う際のプロジェクタＰＪ１の液晶表示装置１０Ｒを示す図である。実施形態２に係るマルチプロジェクションディスプレイを構成するプロジェクタＰＪ１，ＰＪ２，ＰＪ３は、本来の設置に仕方で１２８０画素×７２０画素の縦長の投写画像を投写可能とするものであるため、走査線ドライバ２２からの走査線は、１２８０画素に対応するそれぞれの走査線が長方形の画像形成領域ＧＡ１の長辺を横切るように横方向に配列され、また、データ線ドライバ２１からのデータ線は、７２０画素に対応するそれぞれのデータ線が長方形の画像形成領域ＧＡ１の短辺を横切るよう縦方向に配列された状態となる。
【００４７】
また、図６（ｃ）は図６（ｂ）の破線円枠を拡大して示す図であり、実施形態１の説明で用いた図３（ｃ）と同様、概略的には、各画素ごとにＴＦＴ（薄幕トランジスタ）と画素電極ＧＣが設けられた構成となっている。ただし、この図６（ｃ）の場合は、走査線が横方向に配列され、データ線が縦方向に配列されている。
【００４８】
なお、各液晶表示装置は、図６（ｂ）に示すような状態でプロジェクタ内に設置することも可能であるが、図６（ｂ）に示す液晶表示装置を９０度回転させた状態、すなわち、図６（ｂ）に示す液晶表示装置を横にした状態でプロジェクタ内に設置して、該液晶表示装置からの画像光を光学的に９０度回転させるようにしても縦長画像を投写することができる。
【００４９】
図７は実施形態２に係るマルチプロジェクションディスプレイの画像データの書き込みを説明する図である。図７（ａ）は画像データの書き込みを行う際の走査線ドライバ２２からの走査信号を示す図であり、各フレームにおいて、ゲート信号ＶＧ１，ＶＧ２，・・・，ＶＧｎ（ｎ＝１２８０）がそれぞれの走査線に出力される。そして、走査線に接続されたＴＦＴのゲートにゲート信号が与えられることにより、データ線ドライバ２１によって画像データが画素電極に与えられる。
【００５０】
図７（ｂ）は画像データの書き込みを概略的に示す図であり、画像データは図７（ａ）に示すゲート信号ＶＧ１，ＶＧ２，・・・，ＶＧｎ（ｎ＝１２８０）によって書き込まれて行く。このため、液晶表示装置上における画像データの書き込み方向は白抜き矢印Ｙ方向となる。
図７（ｃ）は３つのプロジェクタＰＪ１，ＰＪ２，ＰＪ３のスクリーンＳＣＲ上における書き込みを示すもので、各プロジェクタＰＪ１，ＰＪ２，ＰＪ３は、それぞれが同期して白抜き矢印Ｙ方向への画像データの書き込みを行う。
【００５１】
実施形態２に係るマルチプロジェクションディスプレイの構成する各プロジェクタの画像データ処理装置１は、実施形態１の説明で用いた図５を利用することができる。ただし、この実施形態２においては、マルチプロジェクションディスプレイを構成する各プロジェクタＰＪ１，ＰＪ２，ＰＪ３は、本来の設置の仕方で縦長の投写画像が形成可能となっているため、プロジェクタを縦置き状態として投写を行うことを示す情報は不要となる。また、投写情報処理部１２は、画像データ記憶部１３に記憶された１フレーム分の画像データを図７（ｂ）のような書き込みが可能となるような順序で読み出して、読み出した画像データを各液晶表示装置１０Ｒ，１０Ｇ，１０Ｂに与える。
【００５２】
以上説明したように、実施形態２に係るマルチプロジェクションディスプレイによれば、マルチプロジェクションディスプレイを構成する複数のプロジェクタは、本来の設置の仕方で縦長の投写画像を形成可能としている。このため、たとえば、１９２０画素×１０８０画素のフルハイビジョン規格の投写画面を、一般的な解像度（１２８０画素×７２０画素）を有する３台のプロジェクタを本来の設置の仕方で設置することによって構成することができる。
【００５３】
これによって、実施形態２に係るマルチプロジェクションディスプレイにおいては、従来では、少なくとも４台のプロジェクが必要であったものを、３台のプロジェクタで実現できるので、安価かつ容易にマルチプロジェクションディスプレイを構成することができる。また、実施形態２に係るマルチプロジェクションディスプレイにおいては、本来の設置の仕方で縦長画像の投写が可能なプロジェクタを用いているので、画像データ処理装置１が行う画像データ処理を容易なものとすることができる。
【００５４】
[実施形態３]
実施形態３に係るマルチプロジェクションディスプレイは、マルチプロジェクションディスプレイを構成するプロジェクタとして、インパルス型の投写を可能とするために領域照明を可能とするプロジェクタを用いた場合である。
【００５５】
図８は実施形態３に係るマルチプロジェクションディスプレイを構成する複数のプロジェクタのうちのある１つのプロジェクタの構成を説明する図である。ここでは、プロジェクタＰＪ１について説明するが、他のプロジェクタＰＪ２，ＰＪ３も同様の構成を有している。
【００５６】
また、これら各プロジェクタＰＪ１，ＰＪ２，ＰＪ３は、実施形態２に係るマルチプロジェクションディスプレイに用いられるプロジェクタ、すなわち、本来の設置の仕方で縦長画像の投写が可能なプロジェクタであるとする。ただし、実施形態３に係るマルチプロジェクションディスプレイを構成する複数のプロジェクタは、それぞれの電気光学変調装置(液晶表示装置とする)が照明光束の走査に同期して書き込み走査が行われるように構成されている。
【００５７】
図８（ａ）はプロジェクタＰＪ１の光学系を上面から見た図であり、図８（ｂ）はプロジェクタＰＪ１の光学系を側面から見た図であり、図８（ｃ）は第１レンズアレイ１２０の正面図であり、図８（ｄ）は遮光部材４１０上における照明状態を示す図であり、図８（ｅ）は液晶表示装置１０Ｒ（他の液晶表示装置１０Ｇ，１０Ｂも同じである）上における照明状態を示す図である。
【００５８】
なお、以下の説明においては、互いに直交する３つの方向をそれぞれｚ軸方向（図８（ａ）における照明光軸１００ａｘ方向）、ｘ軸方向（図８（ａ）における紙面に平行かつｚ軸に直交する方向）及びｙ軸方向（図８（ａ）における紙面に垂直かつｚ軸に直交する方向）とする。
【００５９】
実施形態３に係るプロジェクタＰＪ１は、図８（ａ）及び図８（ｂ）に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像データに応じて変調する３つの液晶表示装置１０Ｒ，１０Ｇ，１０Ｂと、これら３つの液晶表示装置１０Ｒ，１０Ｇ，１０Ｂによって変調された色光を合成するクロスダイクロイックプリズム３００と、クロスダイクロイックプリズム３００によって合成された光をスクリーンＳＣＲに投写する投写光学系３１０と、照明装置１００と液晶表示装置１０Ｒ，１０Ｇ，１０Ｂとの間に配置され、液晶表示装置１０Ｒ，１０Ｇ，１０Ｂの書込みに同期して画像形成領域ＧＡ１上で縦方向に沿って照明光束を走査する機能を有する回転プリズム４００とを備えたプロジェクタである。
【００６０】
また、照明装置１００と色分離導光光学系２００との間には、遮光部材４１０が配置されている。遮光部材４１０は、図８（ｄ）に示すように、開口部４１１を有している。この開口部４１１は、遮光部材４１０から射出される照明光束の断面形状が、液晶表示装置１０Ｒの画像形成領域ＧＡ１上で適正な形状の照明光束Ｓとなるように光を整形する。
なお、画像形成領域ＧＡ１における照明光束Ｓは、この実施形態においては、１２８０画素×７２０画素の画像形成領域における縦方向の約１／２を照射可能とする形状を有している。
【００６１】
また、第１レンズアレイ１２０は、平行化レンズ１１８からの光を複数の部分光束に分割する光束分割光学素子としての機能を有し、照明光軸１００ａｘと直交する面内にマトリクス上に配列される複数の小レンズ１２２を備えた構成を有している（図８(ｃ)参照）。
【００６２】
照明装置１００から射出された照明光束は、回転プリズム４００に入射する。回転プリズム４００は、照明装置１００と液晶表示装置１０Ｒ，１０Ｇ，１０Ｂとの間に配置され、回転軸４０１を中心に回転することによって、液晶表示装置１０Ｒ，１０Ｇ，１０Ｂの書込みに同期して画像形成領域ＧＡ１上で縦方向（図８（ｅ）に示す矢印ａ方向）に沿って照明光束Ｓを走査する機能を有している。
【００６３】
色分離導光光学系２００は、図８（ａ）に示すように、ダイクロイックミラー２１０，２１４と、反射ミラー２１２，２１６，２１８，２２０，２２２と、リレーレンズ２４０，２４２とを有している。色分離導光光学系２００は、回転プリズム４００から射出される照明光束を赤色光、緑色光及び青色光の３つの色光に分離して、それぞれの色光を照明対象となる液晶表示装置１０Ｒ，１０Ｇ，１０Ｂに導く機能を有している。色分離導光光学系２００としては、照明装置１００から液晶表示装置１０Ｒ，１０Ｇ，１０Ｂまでの光路長が等しい等光路長光学系を用いている。
【００６４】
図９は図８のように構成されたプロジェクタＰＪ１において、液晶表示装置（液晶表示装置１０Ｒとする）の所定ラインに注目したときのゲート信号と照明光束の照射タイミングを概略的に示すタイムチャートである。図９（ａ）は液晶表示装置１０Ｒの画像形成領域ＧＡ１における照明光束の照射状態を示すもので、照明光束が照射している領域を灰色で示す。なお、照明光束が照射しているか否かを点灯／消灯で表すものとする
図９（ｂ），（ｃ）は画像形成領域ＧＡ１におけるラインＬ１上におけるゲート信号ＶＧ１と点灯／消灯のタイミングを示す図、図９（ｃ）は画像形成領域ＧＡ１におけるラインＬｉ（ｉ＝６４０）上におけるゲート信号ＶＧｉ（ｉ＝６４０）と点灯／消灯タイミングを示す図である。
【００６５】
ここで、ラインＬ１上に注目すれば、図９（ｂ）に示すようなゲート信号ＶＧ１によって書き込みが行われると、ラインＬ１上においては、図９（ａ）の消灯状態から点灯状態に切り替わる。一方、ラインＬｉ（ｉ＝６４０）に注目すれば、ラインＬｉ上においては、図９（ｃ）に示すように、ゲート信号ＶＧｉ（ｉ＝６４０）によって書き込みが行われると、照明が消灯状態から点灯状態となる。
【００６６】
このように、実施形態４に係るマルチプロジェクションディスプレイでは、各プロジェクタＰＪ１，ＰＪ２，ＰＪ３のそれぞれは、回転プリズム４００の動作によって各液晶表示装置１０Ｒ，１０Ｇ，１０Ｂ上を所定の領域ごとに照明を行い、各液晶表示装置１０Ｒ，１０Ｇ，１０Ｂは、回転プリズム４００の回転に同期して書き込み走査が行われるように構成されている。
【００６７】
なお、実施形態３に係るマルチプロジェクションディスプレイの構成する各プロジェクタの画像データ処理装置１は、実施形態１の説明で用いた図５を利用することができる。ただし、この実施形態３においては、実施形態２と同様、マルチプロジェクションディスプレイを構成する各プロジェクタＰＪ１，ＰＪ２，ＰＪ３は、本来の設置の仕方で縦長の投写画像の形成が可能であるとしているため、プロジェクタを縦置き状態として投写を行うことを示す情報は不要となる。
また、投写情報処理部１２は、図９で説明したようなゲート信号と照明光束の照明タイミングの制御を行う。すなわち、各プロジェクタＰＪ１，ＰＪ２，ＰＪ３における液晶表示装置１０Ｒ，１０Ｇ，１０Ｂの書き込みが照明光束の走査に同期して行われるような制御を行う。
【００６８】
以上説明したように、実施形態３に係るマルチプロジェクションディスプレイによれば、実施形態２で述べたと同様の効果が得られることは勿論、マルチプロジェクションディスプレイを構成する複数のプロジェクタが、液晶表示装置の画像形成領域上で照明光束が所定領域ごとに走査されるため、動画の視認性を向上させることができる。
【００６９】
[実施形態４]
実施形態４に係るマルチプロジェクションディスプレイは、マルチプロジェクションディスプレイを構成する複数のプロジェクタ（実施形態３においても３台のプロジェクタＰＪ１，ＰＪ２，ＰＪ３とする）が単板式のプロジェクタの場合である。
【００７０】
また、これら各プロジェクタＰＪ１，ＰＪ２，ＰＪ３は、実施形態２に係るマルチプロジェクションディスプレイに用いられるプロジェクタと同様、本来の設置の仕方で縦長画像の投写が可能なプロジェクタであるとする。ただし、実施形態３に係るマルチプロジェクションディスプレイを構成する複数のプロジェクタは、電気光学変調装置としてマイクロミラー型変調装置を用い、かつ、単板式のプロジェクタであるとする。
【００７１】
図１０は実施形態３に係るマルチプロジェクションディスプレイを構成する複数のプロジェクタのうちのある１つのプロジェクタの構成を説明する図である。なお、ここでは、プロジェクタＰＪ１について説明するが、他のプロジェクタＰＪ２，ＰＪ３も同様の構成を有している。
【００７２】
図１０（ａ）はプロジェクタＰＪ１の光学系を上から見た図であり、図１０（ｂ）はプロジェクタＰＪ１の光学系を側面から見た図であり、図１０（ｃ）はインテグレータロッド５１０の光入射面を照明光軸１００ａｘに沿って見た図であり、図１０（ｄ）はインテグレータロッド５１０の光射出面を照明光軸１００ａｘに沿って見た図であり、図１０（ｅ）はカラーホイール５２０を照明光軸１００ａｘに沿って見た図であり、図１０（ｆ）はカラーホイール５２０を通過する照明光束Ｂｗを照明光軸１００ａｘに沿って見た図であり、図１０（ｇ）はマイクロミラー型変調装置５４０に照射される照明光束を示す図である。
【００７３】
なお、図１０の説明においては、互いに直交する３つの方向をそれぞれｚ軸方向（図１０（ａ）における照明光軸１００ａｘ方向）、ｘ軸方向（図１０（ａ）における紙面に平行かつｚ軸に直交する方向）及びｙ軸方向（図１０（ａ）における紙面に垂直かつｚ軸に直交する方向とする。
【００７４】
実施形態３に係るプロジェクタＰＪ１は、図１０（ａ）及び図１０（ｂ）に示すように、照明光を射出する光源装置５００と、光源装置５００からの照明光をより均一な強度分布を有する光に変換するインテグレータロッド５１０と、カラーホイール５２０と、光源装置５００からの照明光を被照明領域に導くリレー光学系５３０と、リレー光学系５３０からの光を画像データに応じて変調するマイクロミラー型変調装置５４０と、マイクロミラー型変調装置５４０で変調された光を投写する投写光学系５５０とを備えている。
【００７５】
インテグレータロッド５１０の光射出面の形状は、照明領域の輪郭形状が被照射領域の輪郭形状に相似となるような形状とすることが好ましい。例えば、被照射領域の輪郭形状がほぼ矩形形状であれば、インテグレータロッド５１０の光射出面の輪郭形状をこれに相似なほぼ矩形形状とすることが好ましい。ただし、光源装置５００の中心軸はマイクロミラー型変調装置５４０の中心軸に対して傾斜して配置されているので、被照射領域を照明する実際の照明領域は、この傾斜に応じて歪んだ輪郭形状を有することになる。したがって、このような場合においては、インテグレータロッド５１０の光射出面の形状としては、照明領域の輪郭の歪みを補正するような形状とすることが好ましい。
【００７６】
インテグレータロッド５１０に入射した照明光は、インテグレータロッド５１０の内面で反射を繰り返しながらインテグレータロッド５１０内を通過する。これにより、インテグレータロッド５１０は、光源装置５００から射出された照度分布が一様でない光を、光射出面において照度分布を一様にすることが可能となる。
【００７７】
インテグレータロッド５１０の光射出面側にはカラーホイール５２０が設けられている。このカラーホイール５２０は、図１０（ｅ）に示すように、赤、緑及び青のカラーフィルタが渦巻き状に配置された構造を有している。
【００７８】
また、リレー光学系５３０は、カラーホイール５２０を通過したインテグレータロッド５１０の光射出面の像をマイクロミラー型変調装置５４０の画像形成領域上で結像させる機能を有している。
【００７９】
マイクロミラー型変調装置５４０は、リレー光学系５３０からの光を画像データに応じて各画素に対応するマイクロミラー（図示せず）で反射することにより、画像を表す画像光を投写光学系５５０へ射出する機能を有する反射方向制御型光変調装置である。マイクロミラー型変調装置５４０から射出される画像光は、投写光学系５５０を介してスクリーンＳＣＲ上に投写される。
【００８０】
光源装置５００から射出された照明光は、インテグレータロッド５１０の光入射面においては、図１０（ｃ）に示すように、断面が円形の照明光束Ｂｉとなり、インテグレータロッド５１０の光射出面においては、図１０（ｄ）に示すように、断面が縦長の長方形の照明光束Ｂｏとなる。そして、この照明光束Ｂｏは、図１０（ｅ）に示すように、カラーホイール５２０を通過することにより、図１０（ｆ）に示すような、赤、緑及び青の３色の成分を含む照明光束Ｂｗとなる。そして、この照明光束Ｂｗは、図１０（ｇ）に示すように、リレー光学系５３０によって拡大されたのち、フィールドレンズ５６０を通過してマイクロミラー型変調装置５４０の画像形成領域上に照射される。
【００８１】
図１１は図１０のように構成されたプロジェクタＰＪ１におけるマイクロミラー型変調装置５４０の所定ライン（ラインＬ１とする）に注目したときのゲート信号ＶＧ１と照明光束の照射タイミングを概略的に示すタイムチャートである。
【００８２】
図１１（ａ）はマイクロミラー型変調装置５４０の画像形成領域ＧＡ１におけるカラーホイール５２０を通過した照明光束Ｂｗの状態を示すものであり、図１１（ａ）の状態をここでの説明の初期値であるとする。
【００８３】
図１１（ｂ）はラインＬ１におけるゲート信号ＶＧ１とそのときの照明光束の照射タイミングを示す図である。図１１（ａ）の状態において、図１１（ｂ）に示すような赤（Ｒ）用のゲート信号ＶＧ１によって書き込みが行われると、ラインＬ１上はカラーホイール５２０の回転により、図１１（ｂ）に示すように赤（Ｒ）の照明光束がラインＬ１上に照射されるようになる。続いて、緑（Ｇ）用のゲート信号ＶＧ１によって書き込みが行われると、ラインＬ１上はカラーホイールの回転により図１１（ｂ）に示すように緑（Ｇ）の照明光束がラインＬ１上に照射されるようになり、さらに続いて、青（Ｂ）用のゲート信号ＶＧ１によって書き込みが行われると、ラインＬ１上はカラーホイール５２０の回転により図１１（ｂ）に示すように青（Ｂ）の照明光束がラインＬ１上に照射されるようになる。
【００８４】
このように、実施形態４に係るマルチプロジェクションディスプレイでは、各プロジェクタは、カラーホイール５２０の回転に同期してマイクロミラー型変調装置５４０への書き込み走査が行われる。
【００８５】
なお、実施形態４に係るマルチプロジェクションディスプレイの構成する各プロジェクタの画像データ処理装置は、実施形態１の説明で用いた図５を利用することができる。ただし、この実施形態４においては、マルチプロジェクションディスプレイを構成する各プロジェクタは、本来の設置の仕方で縦長の投写画像が形成可能となっているため、プロジェクタを縦置き状態として投写を行うことを示す情報は不要となる。
【００８６】
また、投写情報処理部１２は、図１１で説明したようなゲート信号と照明光束の照射タイミング制御を行う。すなわち、各プロジェクタにおけるマイクロミラー型変調装置５４０の書き込みがカラーホイールの回転に同期して行われるような制御を行う。
【００８７】
以上説明したように、実施形態４に係るマルチプロジェクションディスプレイによれば、実施形態２で述べたと同様の効果が得られることは勿論、マルチプロジェクションディスプレイを構成する複数のプロジェクタが、電気光学変調装置としてデジタルマイクロミラーデバイス（ＤＭＤ：登録商標)などのマイクロミラー型変調装置を用いた場合であっても本発明のマルチプロジェクションディスプレイを構成することができる。
【００８８】
[実施形態５]
実施形態１から４に係るマルチプロジェクションディスプレイにおいては、複数の投写画像が投写面上で縦方向に１個、かつ、横方向に複数個の配列で投写されるように構成された例であったが、実施形態５に係るマルチプロジェクションディスプレイにおいては、複数のプロジェクタからの投写画像が縦方向にｍ個（ｍは２以上の自然数）、横方向にｎ個（ｎは３以上の自然数）の配列で投写されるように構成される。
【００８９】
なお、実施形態５では、フルハイビジョン規格の４倍の解像度、すなわち、２１６０画素×３８４０画素の投写画像を生成する例について説明する。また、実施形態５に係るマルチプロジェクションディスプレイを構成する複数のプロジェクタは、実施形態２に係るマルチプロジェクションディスプレイに用いられるプロジェクタ、すなわち、本来の設置の仕方によって縦長画像（１２８０画素×７２０画素）の投写が可能なプロジェクタであるとする。
【００９０】
図１２は実施形態５に係るマルチプロジェクションディスプレイを示す図である。図１２（ａ）に示すようにプロジェクタからの投写画像は縦方向に２個、横方向に６個の合計１２個であり、個々の投写画像は、１２８０画素×７２０画素の縦長画像である。このため、縦方向の重なり領域は４００画素、横方向の重なり領域は９６画素となる。但し、縦方向の重なり領域を適正な値とするために、上段を投写する各プロジェクタの投写画像を上方に所定量だけずらし、下段を投写する各プロジェクタの投写画像を下方に所定量だけずらすことも可能である。
【００９１】
図１２（ｂ）は個々のプロジェクタが縦長の投写画像を投写することによってフルハイビジョン規格の４倍の解像度を有する画像を投写可能な背面型ディスプレイを側面側から見た場合の概略構成を示す図である。図１２（ｂ）に示すように、１２台のプロジェクタのうち、６台のプロジェクタＰＪ１〜ＰＪ６が上段に配置され、他の６台のプロジェクタＰＪ７〜ＰＪ１２が下段に配置される。
【００９２】
そして、光路長を適正な長さとし、かつ、背面型ディスプレイの奥行きをできるだけ小さくするという要求を満たすには、プロジェクタＰＪ１〜ＰＪ６からの投写画像は、ミラーＭ１により反射させてスクリーンＳＣＲ上で図１２（ｂ）の上段の投写画像とし、また、プロジェクタＰＪ７〜ＰＪ１２からの投写画像はミラーＭ２により反射させてスクリーンＳＣＲ上で図１２（ｂ）の下段の投写画像とするというような構成となるのが一般的である。
【００９３】
図１３は個々のプロジェクタで横長の投写画像を投写することによってフルハイビジョン規格の４倍の解像度を有する画像を形成する場合を示す図である。図１３（ａ）に示すように、各プロジェクタからの投写画像は横方向に４個、縦方向に３個の配列となる。
【００９４】
図１３（ｂ）は図１３（ａ）に示すような横長の投写画像によってフルハイビジョン規格の４倍の解像度を有する画像を投写可能な背面型ディスプレイを側面側から見た場合の概略構成を示す図である。この場合、縦方向に３個の投写画像を形成する必要があるため、上記同様、光路長を適正な長さとし、かつ、背面型ディスプレイの奥行きをできるだけ小さくするという要求を満たすには、各プロジェクタの配置を図１３（ｂ）に示すような配置することが一例として考えられる。
【００９５】
各プロジェクタを図１３（ｂ）に示すような配置とすると、当然のことながら奥行きが長くならざるを得ない。これは、近年の薄型化の要求に対しては不利なものとなる。また、この場合、図１３（ｂ）に示すように、横方向においては、所定の重なり領域をとることができるが、縦方向の重なり領域をとることはできない。同じ解像度のプロジェクタを用いて縦方向の重なり領域を取ろうとすればより多くのプロジェクタが必要となる。
【００９６】
以上説明したように、実施形態５に係るマルチプロジェクションディスプレイによれば、個々のプロジェクタを縦長画像の投写が可能とするように構成することによって、たとえば、高解像度の大画面画像を表示可能な背面型ディスプレイを構成するような場合、従来の横長画像を投写するプロジェクタを用いる場合に比べて背面型ディスプレイの奥行きを短くすることができる。
【００９７】
[実施形態６]
図１４は実施形態６に係るマルチプロジェクションディスプレイを説明する図である。図１４（ａ）は各プロジェクタからの投写画像を示す図であり、図１４（ｂ）は書き込み動作を説明する図である。
【００９８】
また、図１５は実施形態６に係るマルチプロジェクションディスプレイの駆動方法を説明する図である。図１５（ａ）は、図１２（ａ）における縦方向の一組の投写画像を取り出して示す図である。図１５（ｂ）は上段の投写画像を投写するプロジェクタ及び上段の投写画像を投写するプロジェクタにおけるそれぞれの電気光学変調装置（液晶表示装置とする）の書き込み動作を説明するタイムチャートである。
【００９９】
実施形態６に係るマルチプロジェクションディスプレイは、図１４（ａ）に示すように、実施形態５に係るマルチプロジェクションディスプレイの場合と同様に、１２個のプロジェクタが２台×６台というように配列されたマルチプロジェクションディスプレイである。各プロジェクタは、実施形態２に係るマルチプロジェクションディスプレイで用いられるプロジェクタ、すなわち、本来の設置の仕方で縦長画像の投写が可能な１２８０画素×７２０画素を有する縦長の液晶表示装置を有しているものであるとする。ただし、実施形態６に係るマルチプロジェクションディスプレイは、図１４（ｂ）及び図１５（ｂ）に示すように、液晶表示装置として、１フレームに２回書き込みを行う倍速駆動の液晶表示装置を有している。
【０１００】
そして、実施形態６に係るマルチプロジェクションディスプレイにおいては、図１５（ｂ）に示すように、液晶表示装置の１回目の書き込み期間を避けて光源の発光を行わせる機能、言い換えると、液晶表示装置の２回目の書き込み期間のみに光源の発光を行わせる機能を有している。
【０１０１】
このため、実施形態６に係るマルチプロジェクションディスプレイによれば、図１４（ｂ）に示すように、投写画像を間欠的にスクリーンＳＣＲに投写できるようになる。このため、ホールド型の欠点である尾引き現象を緩和することができ、滑らかで良質な動画表示を行うことができるようになる。
【０１０２】
また、実施形態６に係るマルチプロジェクションディスプレイによれば、図１５（ｂ）に示すように、光源の発光が行われる期間においては、液晶表示装置の画像形成領域（特に、上段の投写画像及び下段の投写画像が重なる縦方向の重なり領域）においても、当該フレームの画像データが少なくとも１回は書き込まれていることになる。
【０１０３】
すなわち、図１５（ｂ）において、あるフレーム（第ｋフレームとする）に注目すると、光源の点灯している期間は、上段のプロジェクタの液晶表示装置及び上段のプロジェクタの液晶表示装置には、すべての領域において第ｋフレームの画像データが書き込まれていることになる。
【０１０４】
これにより、上段のプロジェクタの投写画像及び下段のプロジェクタの投写画像の重なり領域において、上段の投写画像と下段の投写画像が異なるフレームの画像となるのを防止することができる。
【０１０５】
なお、実施形態６に係るマルチプロジェクションディスプレイの構成する各プロジェクタは、液晶表示装置の２回目の書き込み期間のみに光源の発光を行わせる機能を有しているので、光源からの照明光を所定の周期で遮光可能な照明光制御装置（図示せず）を有している。この照明光制御装置としては、回転遮光版のような機械的なもののほか、エレクトロクロミックガラス、液晶パネルなどを用いることが可能である。
【０１０６】
また、実施形態６に係るマルチプロジェクションディスプレイを実現するための画像データ処理装置は、実施形態１の説明で用いた図５の構成を利用することができる。ただし、この実施形態６においては、マルチプロジェクションディスプレイを構成する各プロジェクタは、本来の設置の仕方で縦長の投写画像が形成可能となっているため、プロジェクタを縦置き状態として投写を行うことを示す情報は不要となる。また、投写情報処理部１２は、図１４（ｂ）及び図１５（ｂ）で説明したようなゲート信号と照明光束の照射タイミング制御が可能となるような制御を行う。
【０１０７】
なお、本発明は上述の実施の形態に限られるものではなく、本発明の要旨を逸脱しない範囲で種々変形実施可能となるものである。たとえば、実施形態３〜６に係るマルチプロジェクションディスプレイでは、マルチプロジェクションディスプレイを構成するプロジェクタとしては、実施形態２に係るマルチプロジェクションディスプレイを構成するプロジェクタ、すなわち、本来の設置の仕方で縦長画像の投写が可能なプロジェクタであるとしたが、これに限られるものではなく、実施形態１に係るマルチプロジェクションディスプレイに用いたプロジェクタであってもよい。
【０１０８】
また、前述の各実施形態では、各プロジェクタからの投写画像はすべてが縦長画像となるようにしたが縦長画像と横長画像とを混在させるようにしてもよい。
図１６は縦長画像と横長画像の両方を投写した場合の一例を示す図である。図１６（ａ）は３つのプロジェクタのうちの１つを縦長画像とし、他の２つを横長画像として投写を行った場合の投写画像を示す図であり、図１６（ｂ）は４つのプロジェクタのうちの２つを縦長画像とし、他の２つを横長画像として投写を行った場合の投写画像を示す図である。このように、縦長画像と横長画像とを混在させるように複数のプロジェクタを構成することによって、所望とする投写画面サイズに最適な台数のプロジェクタで画素を有効利用できる投写画像を形成することができる。
【０１０９】
また、縦長画像を形成する手段として、実施形態１では本来の設置の仕方では横長画像を投写するプロジェクタを縦置き状態で設置するようにし、また、実施形態２では本来の設置の仕方では縦長画像の投写が可能となるように電気光学変調装置を構成するようにしたが、電気光学変調装置で生成された横長画像を光学的に縦長画像に変換することも可能である。
【図面の簡単な説明】
【０１１０】
【図１】実施形態１に係るマルチプロジェクションディスプレイの構成を示す図。
【図２】実施形態１に係るマルチプロジェクションディスプレイが投写すべき投写画像と各プロジェクタにおける電気光学変調装置の画像形成領域との関係を説明する図。
【図３】実施形態１に係るマルチプロジェクションディスプレイを構成する各プロジェクタＰＪ１，ＰＪ２，ＰＪ３の液晶表示装置を説明する図。
【図４】実施形態１に係るマルチプロジェクションディスプレイにおける画像データの書き込みを説明する図。
【図５】実施形態１に係るマルチプロジェクションディスプレイを構成する各プロジェクタの画像データ処理装置の構成を示す図。
【図６】実施形態２に係るマルチプロジェクションディスプレイを構成する各プロジェクタＰＪ１，ＰＪ２，ＰＪ３の液晶表示装置を説明する図。
【図７】実施形態２に係るマルチプロジェクションディスプレイの画像データの書き込みを説明する図。
【図８】実施形態３に係るマルチプロジェクションディスプレイを構成する複数のプロジェクタのうちのある１つのプロジェクタの構成を説明する図。
【図９】図８のように構成されたプロジェクタＰＪ１における液晶表示装置の所定ライン上のゲート信号と照明光束の照射タイミングを概略的に示すタイムチャート。
【図１０】実施形態３に係るマルチプロジェクションディスプレイを構成する複数のプロジェクタのうちのある１つのプロジェクタの構成を説明する図。
【図１１】図１０のように構成されたプロジェクタＰＪ１における電気光学変調装置の所定ライン上のゲート信号と照明光束の照射タイミングを概略的に示すタイムチャート。
【図１２】実施形態５に係るマルチプロジェクションディスプレイを示す図。
【図１３】個々のプロジェクタで横長の投写画像を投写することによってフルハイビジョン規格の画像を形成する場合を示す図である。
【図１４】実施形態６に係るマルチプロジェクションディスプレイを説明する図。
【図１５】実施形態６に係るマルチプロジェクションディスプレイの駆動方法を説明する図。
【図１６】縦長画像と横長画像の両方を投写した場合の一例を示す図。
【符号の説明】
【０１１１】
１・・・画像データ処理装置、１０Ｒ，１０Ｇ，１０Ｂ・・・液晶表示装置、２１・・・データ線ドライバ、２２・・・走査線ドライバ、４００・・・回転プリズム、４１０・・・遮光部材、５２０・・・カラーホイール、５４０・・・マイクロミラー型変調装置、ＰＪ１，ＰＪ２，ＰＪ３・・・プロジェクタ、ＧＡ１，ＧＡ２，ＧＡ３・・・画像形成領域、ＳＣＲ・・・スクリーン
【図２】
2006295584.tif 000003
【図４】
2006295584.tif 000004
【図５】
2006295584.tif 000005
【図７】
2006295584.tif 000006
【図１１】
2006295584.tif 000007
【図１４】
2006295584.tif 000008
【図１５】
2006295584.tif 000009
【図１６】
2006295584.tif 000010
【図１】
2006295584.tif 000011
【図３】
2006295584.tif 000012
【図６】
2006295584.tif 000013
【図８】
2006295584.tif 000014
【図９】
2006295584.tif 000015
【図１０】
2006295584.tif 000016
【図１２】
2006295584.tif 000017
【図１３】
2006295584.tif 000018